(57)【要約】      （修正有）【課題】経験等が豊富でない営業担当者等でも顧客等の面談対象者との面談中に適宜、適切な話題等を提供することができる面談情報提供装置等を提供する。【解決手段】ＭＲ支援システムにおいて、面談情報提供装置１０（タブレット端末）は、内容が相互に関連する複数の面談対象者向けのスライド情報の面談用スライド群情報を複数有する。これら面談用スライド群情報は、複数の異なる種類の個別検索用情報と関連付けられて記憶される。少なくとも１つの個別検索用情報が選択され、これら選択された個別検索用情報の全てと関連付いている面談用スライド群情報が表示用面談用スライド群情報である。【選択図】図２
2019145132.tif 000002
【特許請求の範囲】
【請求項１】
内容が相互に関連している複数の面談対象者向けのスライド情報からなる面談用スライド群情報を複数有し、
前記面談用スライド群情報は、複数の異なる種類の個別検索用情報と関連付けられて記憶され、
少なくとも１つの前記個別検索用情報が選択され、これら選択された個別検索用情報の全てと関連付けられている前記面談用スライド群情報が表示用面談用スライド群情報であることを特徴とする面談情報提供装置。
【請求項２】
前記面談対象者向けのスライド情報を表示する表示部を有し、
前記種類の異なる前記個別検索用情報は種類毎に区画を分けて前記表示部に表示され、
少なくとも１つの前記個別検索用情報が前記区画毎に選択され、
前記選択された個別検索用情報の全てと関連付けられている前記面談用スライド群情報が表示用面談用スライド群情報として、前記表示部に表示されることを特徴とする請求項１に記載の面談提供装置。
【請求項３】
前記表示用面談用スライド群情報が複数の前記面談用スライド群情報を含むとき、前記面談対象者の属性情報に基づいて、これら複数の前記面談用スライド群情報に優先順位を付して、前記表示部に表示する構成となっていることを特徴とする請求項２に記載の面談情報提供装置。
【請求項４】
前記表示用面談用スライド群情報と、その前記検索用情報が近似する前記面談用スライド情報群情報を、前記表示用面談用スライド群情報と内容が近似する近似表示用面談用スライド群情報として前記表示部に表示することを特徴とする請求項２に記載の面談情報提供装置。
【請求項５】
少なくとも前記面談用スライド群情報を管理する管理装置と、
前記面談情報提供装置と、を有し、
前記面談情報提供装置が前記管理装置から少なくとも前記面談用スライド群情報を取得するときに、共通する情報以外の情報のみを取得する構成となっていることを特徴とする請求項１乃至請求項４のいずれか１項に記載の面談情報提供装置を備える面談情報提供システム。
【請求項６】
前記表示用面談用スライド群情報が有する複数のスライド情報の表示順を、過去におけるスライド情報の累積表示時間情報及び／又は表示累積回数情報に基づき、前記表示用面談用スライド群情報の各スライド情報の表示順を変更可能な構成となっていることを特徴とする請求項５に記載の面談情報提供装置を備える面談情報提供システム。
【請求項７】
前記表示用面談用スライド群情報から他の前記面談用スライド群情報への過去における遷移実績情報に基づいて、前記近似表示用面談用スライド群情報を特定することを特徴とする請求項５又は請求項６に記載の面談情報提供装置を備える面談情報提供システム。
【請求項８】
内容が相互に関連している複数の面談対象者向けのスライド情報からなる面談用スライド群情報を複数有し、
前記面談用スライド群情報は、複数の異なる種類の個別検索用情報と関連付けられて記憶されている装置に、
少なくとも１つの前記個別検索用情報が選択され、これら選択された個別検索用情報の全てと関連付けられている前記面談用スライド群情報が表示用面談用スライド群情報とされる工程と、を実行させるための面談情報提供プログラム。
【発明の詳細な説明】
【技術分野】
【０００１】
本発明は、例えば、営業担当者等が面談対象者と面談するときに利用可能な面談情報を提供する面談情報提供装置、面談情報提供システム及び面談情報提供プログラムに関するものである。
【背景技術】
【０００２】
従来、営業担当者の営業活動を支援するための提案がなされている（例えば、特許文献１）。
【先行技術文献】
【特許文献】
【０００３】
【特許文献１】特開２００５−２７５８２４号公報
【発明の概要】
【発明が解決しようとする課題】
【０００４】
しかし、営業担当者等の営業活動の中核は顧客等との面談であり、この面談で如何に有効な情報を顧客等の面談対象者に提供することができるが、極めて重要となっている。
一方、面談中に顧客の反応を見ながら適宜、適切な情報を顧客等に提供するには、経験等が必要であり、このような経験が豊富な営業担当者等を迅速に育成するのは容易でないという問題があった。
【０００５】
そこで、本発明は、経験等が豊富でない営業担当者等でも顧客等の面談対象者との面談中に適宜、適切な話題等を提供することができる面談情報提供装置、面談情報提供システム及び面談情報提供プログラムを提供することを目的とする。
【課題を解決するための手段】
【０００６】
前記課題は、本発明によれば、面談対象者向けのスライド情報を表示する表示部を有し、内容が相互に関連している複数の前記スライド情報からなる面談用スライド群情報を複数有し、前記面談用スライド群情報は、複数の異なる種類の個別検索用情報と関連付けられて記憶され、前記種類の異なる前記個別検索用情報は種類毎に区画を分けて表示され、前記種類には、面談内容のテーマ検索用情報、面談対象に対する訴求情報検索用情報及び面談内容のキーワード情報検索用情報が含まれ、前記区画毎に、少なくとも１つの前記個別検索用情報が選択され、これら選択された個別検索用情報の全てと関連付けられている前記面談用スライド群情報が表示用面談用スライド群情報として、前記表示部に表示されることを特徴とする面談情報提供装置により達成される。
【０００７】
前記構成によれば、種類の異なる個別検索用情報は種類毎に区画を分けて表示され、その種類には、面談内容のテーマ検索用情報（例えば、テーマ等）、面談対象に対する訴求情報検索用情報（例えば、メッセージ等）及び面談内容のキーワード情報検索用情報（例えば、単語キーワード）が含まれ、区画毎に、少なくとも１つの個別検索用情報が選択され、これら選択された個別検索用情報の全てと関連付けられている面談用スライド群情報が表示用面談用スライド群情報として、表示部に表示される。
したがって、面談対象者と面談する際のテーマ、訴求情報、キーワード等の個別検索用情報が表示部の画面に表示され、これら個別検索用情報を選択することで、当該面談に最も有効なスライドを表示することができる。
このため、面談経験の少ない営業担当者等であっても、顧客等の面談対象者との面談を円滑に進めることができる。
【０００８】
好ましくは、前記表示用面談用スライド群情報が複数の前記面談用スライド群情報を含むとき、前記面談対象者の属性情報に基づいて、これら複数の前記面談用スライド群情報に優先順位を付して、前記表示部に表示する構成となっていることを特徴とする。
【０００９】
前記構成によれば、表示用面談用スライド群情報が複数の面談用スライド群情報を含むとき、面談対象者の属性情報に基づいて、これら複数の面談用スライド群情報に優先順位を付して、表示部に表示する構成となっている。
このため、営業担当者等は、当該面談に有効なスライドを容易に選択することができる。
【００１０】
好ましくは、前記表示用面談用スライド群情報と、その前記検索用情報が近似する前記面談用スライド情報群情報を、前記表示用面談用スライド群情報と内容が近似する近似表示用面談用スライド群情報として前記表示部に表示することを特徴とする。
【００１１】
前記構成によれば、表示用面談用スライド群情報と、その検索用情報が近似する面談用スライド情報群情報を、表示用面談用スライド群情報と内容が近似する近似表示用面談用スライド群情報として前記表示部に表示する。
このため、面談対象者と面談している現在の内容に近似するスライド群が用意されるので、この近似表示用面談用スライド群情報を選択することで、経験等が浅い営業担当者等でも話題の展開等を円滑に行うことができ、面談の効果上げることができる。
【００１２】
好ましくは、少なくとも前記面談用スライド群情報を管理する管理装置と、前記面談情報提供装置と、を有し、前記面談情報提供装置が前記管理装置から少なくとも前記面談用スライド群情報を取得するときに、共通する情報以外の情報のみを取得する構成となっていることを特徴とする。
【００１３】
前記構成によれば、面談情報提供装置が前記管理装置から少なくとも面談用スライド群情報を取得するときに、共通する情報以外の情報のみを取得する構成となっているので、面談情報提供装置は、短時間で自己の情報を更新等することができる。
【００１４】
好ましくは、前記表示用面談用スライド群情報が有する複数のスライド情報の表示順を、過去におけるスライド情報の累積表示時間情報及び／又は表示累積回数情報に基づき、前記表示用面談用スライド群情報の各スライド情報の表示順を変更可能な構成となっていることを特徴とする。
【００１５】
前記構成によれば、表示用面談用スライド群情報が有する複数のスライド情報の表示順を、過去におけるスライド情報の累積表示時間情報及び／又は表示累積回数情報に基づき、表示用面談用スライド群情報の各スライド情報の表示順を変更可能な構成となっている。
このため、最も効率良い表示順でスライド情報を表示できるので、営業担当者等は、面談対象者に効果的にスライド情報を提供することができる。
【００１６】
好ましくは、前記表示用面談用スライド群情報から他の前記面談用スライド群情報への過去における遷移実績情報に基づいて、前記近似表示用面談用スライド群情報を特定することを特徴とする
【００１７】
前記構成によれば、表示用面談用スライド群情報から他の面談用スライド群情報への過去における遷移実績情報に基づいて、近似表示用面談用スライド群情報を特定するので、過去の経験値を当該営業担当者等が得ることができる。
したがって、最も効果的にスライド情報を面談対象者に提供することができる。
【００１８】
前記課題は、本発明によれば、面談対象者向けのスライド情報を表示する表示部を有し、内容が相互に関連している複数の前記スライド情報からなる面談用スライド群情報を複数有し、前記面談用スライド群情報は、複数の異なる種類の個別検索用情報と関連付けられて記憶されている装置の前記表示部に、前記種類の異なる前記個別検索用情報は種類毎に区画を分けて表示させる工程と、前記種類には、面談内容のテーマ検索用情報、面談対象に対する訴求情報検索用情報及び面談内容のキーワード情報検索用情報が含まれ、前記区画毎に、少なくとも１つの前記個別検索用情報が選択され、これら選択された個別検索用情報の全てと関連付けられている前記面談用スライド群情報が表示用面談用スライド群情報として、前記表示部に表示される工程と、を実行させることを特徴とする面談情報提供プログラムにより達成される。
【発明の効果】
【００１９】
本発明は、経験等が豊富でない営業担当者等でも顧客等の面談対象者との面談中に適宜、適切な話題等を提供することができる面談情報提供装置、面談情報提供システム及び面談情報提供プログラムを提供できるという利点がある。
【図面の簡単な説明】
【００２０】
【図１】本発明の面談情報提供システムである例えば、ＭＲ支援システムの主な構成等を示す概略図である。
【図２】図１のタブレット端末の主な構成を示す概略ブロック図である。
【図３】端末側話題スライド群情報記憶部の主な内容を示す概略図である。
【図４】端末側第１の各種情報記憶部の主な内容を示す概略ブロック図である。
【図５】端末側第２の各種情報記憶部の主な内容を示す概略ブロック図である。
【図６】端末側第３の各種情報記憶部の主な内容を示す概略ブロック図である。
【図７】図１の管理サーバの主な構成を示す概略ブロック図である。
【図８】サーバ側話題スライド群情報記憶部の主な内容を示す概略図である。
【図９】サーバ側各種情報記憶部の主な内容を示す概略ブロック図である。
【図１０】ＭＲ支援システムの主な動作例等を示す概略フローチャートである。
【図１１】ＭＲ支援システムの主な動作例等を示す他の概略フローチャートである。
【図１２】ＭＲ支援システムの主な動作例等を示す他の概略フローチャートである。
【図１３】ＭＲ支援システム１の主な動作例等を示す他の概略フローチャートである。
【図１４】ＭＲ支援システム１の主な動作例等を示す他の概略フローチャートである。
【図１５】タッチパネルに表示される「話題スライド群検索画面（１）」の画面例を示す概略説明図である。
【図１６】ＳＴ１８におけるタッチパネルに示される「話題スライド群検索画面（２）」の画面例を示す概略説明図である。
【図１７】ＳＴ２０におけるタッチパネルに示される「話題スライド群検索画面（３）」の画面例を示す概略説明図である。
【図１８】ＳＴ２４における複数の「話題スライド群」に優先順位を付けて表示した表示例を示す概略説明図である。
【図１９】ＳＴ２７における最終選択話題スライド群表示画面の画面例を示す概略説明図である。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の面談情報提供システムである例えば、ＭＲ支援システム１の主な構成等を示す概略図である。
ここで「ＭＲ」とは「Ｍｅｄｉｃａｌ  ｒｅｐｒｅｓｅｎｔａｔｉｖｅ」の略であり、「医薬情報提供者」を意味する。ＭＲは、製薬会社４等に所属し、医薬品の適正使用のため医師等お医療従事者を訪問すること等により、医薬品の品質、有効性、安全性などに関する情報の提供、収集、伝達を主な業務として行う者である。
【００２３】
本実施の形態では、図１に示すように、面談情報提供装置である例えば、タブレット端末１０を有している。このタブレット端末１０は、ＭＲが携帯するためのものであり、図１に示すように、その中央に、各種情報を入力すると共に表示する表示部である例えば、「タッチパネル１１」が配置されている。
【００２４】
タッチパネル１１は「位置入力装置付き表示装置」であって、液晶パネル等の表示装置とタッチパッド等の位置入力装置を組み合わせた電子部品である。したがって、画面上の表示を押すことで各種情報を入力することができると共に、各種情報を表示することができる構成となっている。
【００２５】
また、タブレット端末１０には、図１に示すように、各種情報を入力するための「入力ボタン１３」も備えていると共に、基地局２とインターネット網３を介して、ＭＲが所属する製薬会社４の管理装置である例えば、「管理サーバ８０」と通信可能に接続されている。
【００２６】
タブレット端末１０及び管理サーバ８０は、コンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２７】
図２は、図１のタブレット端末１０の主な構成を示す概略ブロック図である。
図２に示すように、タブレット端末１０は、「端末制御部１４」を有し、端末制御部１４は、管理サーバ８０等と通信等するための「端末側通信装置１５」、図１に示す「タッチパネル１１」や「入力ボタン１３」を制御する他、時刻情報を生成する「端末側計時装置１６」を制御する。
また、端末制御部１４は、図１に示す「端末側話題スライド群情報記憶部１７」を制御する。図３は、「端末側話題スライド群情報記憶部１７」の主な内容を示す概略図である。
【００２８】
また、端末制御部１４は、図１に示すように「端末側第１の各種情報記憶部２０」、「端末側第２の各種情報記憶部３０」及び「端末側第３の各種情報記憶部４０」を制御し、図４乃至図６は、それぞれ「端末側第１の各種情報記憶部２０」、「端末側第２の各種情報記憶部３０」及び「端末側第３の各種情報記憶部４０」の主な内容を示す概略ブロック図である。これらの内容については後述する。
【００２９】
図７は、図１の管理サーバ８０の主な構成を示す概略ブロック図である。
図７に示すように、管理サーバ８０は、「サーバ制御部８１」を有し、サーバ制御部８１は、タブレット端末１０等と通信等するための「サーバ側通信装置８２」、各種情報を表示する「サーバ側ディスプレイ８３」、各種情報を入力するキーボード等の「サーバ側入力装置８４」及び時刻情報を生成する「サーバ側計時装置８５」を制御する。
また、サーバ制御部８１は、図７に示す「サーバ側話題スライド群情報記憶部８６」を制御する。
図８は、「サーバ側話題スライド群情報記憶部８６」の主な内容を示す概略図である。
さらに、サーバ制御部８１は、図７に示す「サーバ側各種情報記憶部９０」を制御し，図９は、「サーバ側各種情報記憶部９０」の主な内容を示す概略ブロック図である。図９の「サーバ側各種情報記憶部９０」の詳細な内容は後述する。
【００３０】
図１０乃至図１４は、ＭＲ支援システム１の主な動作例等を示す概略フローチャートである。
本実施の形態では、製薬会社４に所属しているＭＲが、面談対象者である例えば、自己が担当する病院の医師と面談をするに際し、図１に示すタブレット端末１０を携帯する。
このタブレット端末１０のタッチパネル１１には、面談における医師との会話で使用する各種のスライドが格納されている。
【００３１】
スライドは、内容が相互に関連している複数のスライドからなる面談用スライド群情報である例えば、「話題スライド群」を構成している。
例えば、話題「ピロリ菌の現状」という「話題スライド群」は、そのタイトルが「ピロリ菌の現状」「ピロリ菌による疾病」「ピロリ菌による疾病の治療」及び「ピロリ菌による疾病の薬剤」という４つのスライドから成っており、これらを順次、タッチパネル１１に表示させることで、ピロリ菌の現状に関する会話を医師と行うことができる構成となっている。
【００３２】
そこで、本システム１では、先ず、上記のように、複数のスライドから成る複数の「話題スライド群」を図７の「管理サーバ８０」の「サーバ側話題スライド群情報記憶部８６」に記憶させる。
「サーバ側話題スライド群情報記憶部８６」には、図８に示すように、「話題スライド群」である「ピロリ菌の現状」が記憶される。
具体的には、「ピロリ菌の現状」は、スライド番号が「Ａ」で、「話題スライド群」である「ピロリ菌の現状」を構成するスライド「ピロリ菌の現状」、「ピロリ菌による疾病」「ピロリ菌による疾病の治療」及び「ピロロリ菌による疾病の薬剤」は、それぞれ、スライド番号Ａ−１、Ａ−２、Ａ−３、Ａ−４が付されている。
【００３３】
また、これらの「スライド表示順」は、例えば、「Ａ−１」、「Ａ−２」、「Ａ−３」，そして「Ａ−４」の順に表示する旨、記憶されている。
また、「話題スライド群」である「ピロリ菌の現状」には、面談内容のテーマ検索用情報である例えば、「テーマ」、具体的には、個別検索用情報である例えば、「消化器内科及び外科」、面談対象（医師）に対する訴求情報検索用情報である例えば、「メッセージ」、具体的には、「最近のトピック」、そして、面談内容のキーワード情報検索用情報である例えば、「単語キーワード」、具体的には、「ピロリ菌」の情報が関連付けられて記憶されている。
【００３４】
また、各話題スライド群は図８に示すように「優先表示」「類似話題スライド群」及び「非類似話題スライド群」の各情報も関連付けられているが、これらについては後述する。
【００３５】
このように、管理サーバ８０の「サーバ側話題スライド群情報記憶部８６」には、各「話題スライド群」が記憶される。
また、管理サーバ８０は、図９に示すように、「サーバ側面談対象者属性情報記憶部９１」を有しており、この「サーバ側面談対象者属性情報記憶部９１」には、ＭＲが面談する医師等の属性情報が予め記憶されている。
例えば、図９に示すように、医師Ａは「Ｂ病院」に勤務し、「消化器内科」が専門で、出身校が「Ｃ大学」であること等が記憶されている。
【００３６】
以上のように、管理サーバ８０に各種情報が記憶された状態で、ＭＲが「Ｂ病院」の「医師Ａ」に面談するために、自己のタブレット端末１０のスイッチをＯＮ状態にし、動作させる。
【００３７】
先ず、図１０のステップ（以下「ＳＴ」とする。）１へ進む。ＳＴ１では、図１の「タブレット端末１０」の「タッチパネル１１」に、使用者（ＭＲ）の識別番号の入力を求める画面が表示される。
ここで、ＭＲは，「タブレット端末１０」の「タッチパネル１１」を介して、ＭＲの自己の識別番号（例えば、１２３４５６）を入力する。
【００３８】
次いで、ＳＴ２へ進む。ＳＴ２では、番号の入力があったか否かを判断し、入力があったときは、ＳＴ３へ進む。
ＳＴ３では、図４の「端末使用者情報記憶部２１」を参照し、入力された識別番号が既登録か否かを判断する。
【００３９】
一方、ＳＴ２で、識別番号の入力がなかったときは、ＳＴ４に進む。ＳＴ４では、使用者に「識別番号」を入力させ、入力した識別番号を「端末使用者情報記憶部２１」に記憶する。
ＳＴ３で、識別番号が既登録のとき、及びＳＴ４で、識別番号の入力が終了すると、ＳＴ５へ進む。ＳＴ５では、管理サーバ８０の図８の「サーバ側話題スライド群情報記憶部８６」の「話題スライド群」及び図９の「サーバ側面談対象者属性情報記憶部９１」のデータをダウンロードするか否かを尋ねる表示が「タッチパネル１１」に示される。
【００４０】
ＭＲのタブレット端末１０に、管理サーバ８０の「サーバ側話題スライド群情報記憶部８６」等のデータが未だダウンロードされていないときは、ＳＴ６へ進む。
ＳＴ６では、管理サーバ８０の「話題スライド群情報記憶部８６」等から全てのデータをダウンロードする。
したがって、タブレット端末１０には、管理サーバ８０の「話題スライド群情報記憶部８６」及び「サーバ側面談対象者属性情報記憶部９１」と同様のデータが記憶される。
具体的には、図３に示す「端末側話題スライド群情報記憶部１７」及び図４に示す「端末側面談対象者属性情報記憶部２６」に記憶される。
このため、その後、タブレット端末１０は、管理サーバ８０と通信することなく、オフラインであっても管理サーバ８０と通信状態と同様に情報を使用することができる。
【００４１】
一方、ＳＴ５で、全てのデータのダウンロードをしない、すなわち、既に過去に管理サーバ８０の「話題スライド群情報記憶部８６」等のデータのダウンロードをしている場合は、ＳＴ７へ進む。
ＳＴ７では、データの更新をするか否かを尋ねる表示がタッチパネル１１に示される。
【００４２】
ＳＴ７で、データの更新をすると判断されたときは、ＳＴ８へ進む。ＳＴ８では、タブレット端末１０は、図３の「端末側話題スライド群情報記憶部１７」の「更新時刻」情報を、それらの関連項目情報と共に管理サーバ８０へ送信する。
【００４３】
次いで、ＳＴ９へ進む。ＳＴ９では、管理サーバ８０は、受信した最新の「更新時刻情報」を図９の「受信更新時刻情報等記憶部９２」に記憶する。
次いで、ＳＴ９へ進む。ＳＴ１０では、図９の「差分情報更新処理部（プログラム）９３」が動作し、図９の「受信更新時刻情報等記憶部９２」の更新時刻情報と、「サーバ側話題スライド群情報記憶部８６」の「更新時刻情報」を参照する。
そして、「受信更新時刻情報等記憶部９２」の更新時刻情報以後の更新時刻情報に関する「話題スライド群」等のデータを抽出し、タブレット端末１０に送信する。
また、このとき、「サーバ側面談対象者属性情報記憶部９１」の最新の情報も送信する。
【００４４】
したがって、本実施の形態では、管理サーバ８０の「サーバ側話題スライド群情報記憶部８６」の全ての「話題スライド群」等のデータを、タブレット端末１０に送信することはせず、タブレット端末１０が未受信の差分情報（共通のデータを除く情報）のみを送信する構成となっている。
特に、「サーバ側話題スライド群情報記憶部８６」のデータは膨大であり、データ全体を送信すると送信データ量が膨大となり、送信時間が長くなり、タブレット端末１０を操作するＭＲにとって使い難くなる。
この点、本実施の形態では、差分情報のみを通信するため、データ量が膨大な「サーバ側話題スライド群情報記憶部８６」のデータの通信量を少なくでき、短時間でデータ更新を完了させることができる。
【００４５】
次いで、ＳＴ１１へ進む。ＳＴ１１では、ＳＴ１０で「サーバ側話題スライド群情報記憶部８６」の差分情報と「サーバ側面談対象者属性情報記憶部９１」の最新の情報を受信し、タブレット端末１０は、図３の「端末側話題スライド群情報記憶部１７」及び「端末側面談対象者属性情報記憶部２６」のデータを更新する。
【００４６】
次いで、ＳＴ１２へ進む。ＳＴ１２では、タブレット端末１０のタッチパネル１１に「面談対象者の氏名及び病院名等を入力してください。」と表示される。
ここで、ＭＲは、例えば、「Ｂ病院」の「Ａ医師」等とタッチパネル１１に入力する。
【００４７】
次いで、ＳＴ１３で、係る情報の入力が終了したと判断するとＳＴ１４へ進む。ＳＴ１４では、入力された「面談対象者の氏名等」を図４の「面談対象者氏名等記憶部２２」に記憶する。
また、このとき、図４の「面談対象者属性情報特定処理部（プログラム）２３」が動作し、「端末側面談対象者属性情報記憶部２６」と「面談対象者氏名等記憶部２２」を参照し、「面談対象者氏名等記憶部２２」の「面談対象者」の「属性」等を特定し、図４の「当該面談対象者属性情報記憶部２４」に記憶する。例えば、医師Ａ、属性「消化器内科」「Ｃ大学）等と記憶する。
【００４８】
以上で、ＭＲは実際に医師に面談する前に行う「準備工程」が終了する。
ＳＴ１５では、タブレット端末１０のタッチパネル１１に「話題スライド群の検索をしますか？」と表示される。
ここで、ＭＲが医師Ａとの面談を開始するときは、「検索を開始する」旨の情報をタッチパネル１１に入力する。
【００４９】
ＳＴ１５で、開始すると判断されたときは、ＳＴ１６へ進む。ＳＴ１６では、タッチパネル１１に「話題スライド群検索画面」が表示される。
図１５は、タッチパネル１１に表示される「話題スライド群検索画面（１）」の画面例を示す概略説明図である。
図１５に示すように、タッチパネル１１には、図３の「端末側話題スライド群情報記憶部１７」の「話題スライド群」と関連付けられている全ての「テーマ」「メッセージ」「単語キーワード」をそれぞれ種類毎に区画を分けて表示される。
【００５０】
図１５の例では、種類「テーマ」では「消化器内科及び外科」や「精神科」等が表示される。種類「メッセージ」では「最近のトピック」等が表示される。また、種類「単語キーワード」では「ピロリ菌」や「乳酸菌」等が表示される。
【００５１】
このように、本実施の形態では、ＭＲが未だ新人で経験が豊富でない場合であっても、面談予定の医師Ａとの話題を、「テーマ」「メッセージ」及び「単語キーワード」を選択することで、容易に抽出することができる構成となっている。
【００５２】
また、具体的な各テーマ、メッセージ及び単語キーワードは、タッチパネル１１で触れることで、特定され、特定の順番は、例えば「テーマ」「メッセージ」及び「単語キーワード」の順となっている。
これは、概念が比較的に広い順に特定することで、検索漏れ等を少なくするためである。また、「テーマ」「メッセージ」及び「単語キーワード」の順は、ＭＲが、話題を検索し易いからである。
【００５３】
次いで、ＳＴ１７へ進む。ＳＴ１７では、図１５の画面の「テーマ」の欄のいずれかを選択したか否かを判断する。
本実施の形態では、医師Ａの専門が「消化器内科」であるためＭＲは、先ず「テーマ」から「消化器内科及び外科」を選択する。
【００５４】
すると、ＳＴ１８へ進む。ＳＴ１８では、図４の「テーマ選択画面表示処理部（プログラム）２５」が動作し、「端末側話題スライド群情報記憶部１７」を参照し、選択された「テーマ（例えば、「消化器内科及び外科」）」情報と関連付けられている「話題スライド群」を抽出し、この抽出された「話題スライド群」と関連付けられている全ての「メッセージ」情報及び「単語キーワード」情報を表示する。
【００５５】
図１６は、ＳＴ１８におけるタッチパネル１１に示される「話題スライド群検索画面（２）」の画面例を示す概略説明図である。
図１６に示すように、「テーマ」欄には「消化器内科及び外科」のみ表示され、「メッセージ」や「単語キーワード」には、テーマ「消化器内科及び外科」と関連付けられている全ての「話題スライド群」と関連付けられている「メッセージ」及び「単語キーワード」が全て表示される。
【００５６】
次いで、ＳＴ１９へ進む。ＳＴ１９では、図１６の画面の「メッセージ」の欄のいずれかを選択したか否かを判断する。
本実施の形態では、ＭＲが最近のトピックから自社の薬剤に話題をつなげたと考えているため、「最近のトピック」を選択する。具体的には、ＭＲが、タッチパネル１１の「メッセージ」の欄の「最近のトピック」の部分に触れて選択する。
【００５７】
ＳＴ１９で、「メッセージ」が選択されたと判断されたときは、ＳＴ２０へ進む。ＳＴ２０では、図５の「メッセージ選択画面表示処理部（プログラム）３１」が動作し、図５の「端末側話題スライド群情報記憶部１７」を参照し、選択された「メッセージ」情報（例えば、「最近のトピック」）及び既に選択された「テーマ」情報（例えば、「消化器内科及び外科」）と関連付けられている「話題スライド群」を抽出する。
そして、抽出された「話題スライド群」と関連付けられている全ての「単語キーワード」情報を表示する。
【００５８】
図１７は、ＳＴ２０におけるタッチパネル１１に示される「話題スライド群検索画面（３）」の画面例を示す概略説明図である。
図１７に示すように、「テーマ」欄には「消化器内科及び外科」のみ表示され、また、「メッセージ」欄には「最近のトピック」のみ表示される。
「単語キーワード」欄には、メッセージ「最近のトピック」と，既に選択されたテーマ「消化器内科及び外科」と関連付けられている全ての「話題スライド群」と関連付けられている「単語キーワード」が全て表示される。
【００５９】
次いで、ＳＴ２１へ進む。ＳＴ２１では、図１７の画面の「単語キーワード」の欄のいずれかを選択したか否かを判断する。
本実施の形態では、ＭＲはピロリ菌に効果のある自社医薬品の情報を医師Ａに提供することを面談目的とするため「ピロリ菌」を選択する。具体的には、ＭＲが、タッチパネル１１の「単語キーワード」の欄の「ピロリ菌」の部分に触れて選択する。
【００６０】
ＳＴ２１で、「単語キーワード」を選択したと判断したときは、ＳＴ２２へ進む。ＳＴ２２では、図５の「話題スライド群特定処理部（プログラム）３２」が動作し、「端末側話題スライド群情報記憶部１７」を参照し、選択された「テーマ（例えば、「消化器内科及び外科」）」「メッセージ（例えば、「最近のトピック」）」及び「単語キーワード（例えば、「ピロリ菌」）」と関連付けられている「話題スライド群」を特定する。
そして、特定された「話題スライド群（例えば、「ピロリ菌の現状」等）」を図５の「特定話題スライド群記憶部３３」に記憶する。
この「特定話題スライド群記憶部３３」に記憶された「話題スライド群」が、表示用面談用スライド群情報の一例となっている。
【００６１】
ＳＴ２２で特定された「話題スライド群（例えば、「ピロリ菌の現状」等）」は、ＭＲが話題として希望する「テーマ」「メッセージ」及び「単語キーワード」を有するため，当該面談において好ましいスライド情報となる。そして、かかる好ましいスライド情報を、経験が浅いＭＲに提供するので、経験の浅いＭＲでも適切なスライド情報を選択することができる。
【００６２】
しかし、ＳＴ２２で選択された「話題スライド群」が１つとなる可能性は低い。これでは、経験の浅いＭＲにとって、選択に迷う事態が生じる。
そこで、ＳＴ２３へ進む。ＳＴ２３では、図５の「特定話題スライド群優先表示判断処理部（プログラム）３４」が動作し、「特定話題スライド群記憶部３３」を参照し、複数の「話題スライド群」を特定しているか否かを判断する。
【００６３】
ＳＴ２３で、「特定話題スライド群記憶部３３」に複数の「話題スライド群」が特定されていると判断されたときは、ＳＴ２４へ進む。
【００６４】
ＳＴ２４では、図５の「特定話題スライド群優先表示判断処理部（プログラム）３５」が動作し、図４の「当該面談対象者属性情報記憶部２４」を参照し、「属性」情報（例えば、医師Ａの専門は「消化器内科」等）を取得する。
そして、図３の「端末側話題スライド群情報記憶部１７」の「話題スライド群」の「優先表示」の優先順位が高い順に、複数の話題スライド群を表示する。
例えば、話題スライド群「ピロリ菌の現状」の「優先表示」は、図３に示すように、第１優先が「消化器内科」なので、医師Ａは優先順位が高く、初めに表示することになる。
【００６５】
図１８は、ＳＴ２４における複数の「話題スライド群」に優先順位を付けて表示した表示例を示す概略説明図である。
このように、本実施の形態では、「テーマ」「メッセージ」及び「単語キーワード」で、適切な「話題スライド群」を１つに特定できないときは、面談対象である医師Ａの属性（専門科「消化器内科」等）に基づいて、複数の話題スライド群の優先順位を定めて表示する。
したがって、経験の浅いＭＲでも、適切な「話題スライド群」を選択することができる。
【００６６】
次いで、ＳＴ２５へ進む。ＳＴ２５では、図１８で表示されている「話題スライド群」のいずれかがタッチパネル１１で選択されたか否かを判断する。
ＳＴ２５で、いずれか１つの「話題スライド群」が特定されたときは、ＳＴ２６へ進み、「特定話題スライド群記憶部３３」の選択した「話題スライド群」に「フラグ」を立てる。
これにより、ＭＲによる話題スライド群の特定が終了する。
【００６７】
次いで、ＳＴ２７へ進む。ＳＴ２７では、図５の「最終選択話題スライド群表示処理部（プログラム）３５」が動作し、「特定話題スライド群記憶部３３」のうち、フラグがある「話題スライド群」を特定する。
そして、図３の「端末側話題スライド群情報記憶部１７」を参照し、特定した「話題スライド群」と同じ「話題スライド群」の全てのスライド（例えば、「第１のスライド」乃至「第４のスライド」）を参照する。
【００６８】
さらに、「スライド表示順」（例えば、第１のスライド→第２のスライド→第３のスライド→第４のスライド）を参照する。
そして、この「スライド表示順」の最初の表示順のスライド（例えば、「第１のスライド」）を「主画面」に表示し、「スライド表示順」の「２」〜「４」のスライドである「第２のスライド」乃至「第４のスライド」のタイトルを「次画面タイトル欄（アイコン）」に表示する。
【００６９】
例えば、「第２のスライド」のタイトルが「ピロリ菌による疾病」、「第３のスライド」のタイトルが「ピロリ菌による疾病の治療」、「第４のスライド」のタイトルが「ピロリ菌による疾病の薬剤」である。
【００７０】
図１９は、ＳＴ２７における最終選択話題スライド群表示画面の画面例を示す概略説明図である。
図１９に示すように、最終的に特定された「話題スライド群（例えば、「ピロリ菌の現状」」のうち、「スライド表示順」が最も高いスライド（例えば、第１のスライド（タイトル「ピロリ菌の現状」がタッチパネル１１の主画面に表示される。
また、第２のスライド等は、それぞれ「次画面タイトル欄（アイコン）」でタイトルが表示されている。
【００７１】
このため、ＭＲが話を進めるために「次画面タイトル欄」を触れることで、主画面が容易に変更する構成となっている。
【００７２】
次いで、ＳＴ２８へ進む。ＳＴ２８では、図６の「表示スライド及び時間情報等処理部（プログラム）４１」が動作し、先ず、図６の「端末側話題スライド群情報記憶部４１」を参照し、タッチパネル１１の主画面に表示されているスライドの番号（例えば、話題スライド群「ピロリ菌の現状」の「ピロリ菌の現状」）の番号Ａ−１）を特定する。
そして、図２の「端末側計時装置１６」を参照して、その「表示開始時刻」を図４の「面談対象者氏名等記憶部２２」の情報（例えば、医師Ａ等）」と「端末使用者情報記憶部２１」の「識別番号（１２３４５６）」と共に、図６の「表示スライド及び時間情報等記憶部４２」に記憶する。
【００７３】
次いで、ＳＴ２９へ進む。ＳＴ２９では、図６の「類似話題スライド群選択処理部（プログラム）４３」が動作し、図５の「特定話題スライド群記憶部３３」のフラグが付されている「話題スライド群」に対応する図３の「端末側話題スライド群情報記憶部１７」の「話題スライド群」、例えば、「ピロリ菌の現状」を特定する。
そして、「端末側話題スライド群情報記憶部１７」で「類似話題スライド群」（近似表示用面談用スライド群情報の一例）として記憶されている「話題スライド群」、例えば、「ピロリ菌と乳酸菌」を図２０に示すように「類似話題スライド群欄（アイコン）」に表示する。
【００７４】
したがって、ＭＲは、同じタッチパネル１１内の画面に、現在説明しているスライドと近似（類似）するスライドが示されるので、話題の展開等のため、適宜、この「類似話題スライド群欄（アイコン）」に触れ、このスライドを主画面に示すことができる。
このため、経験の浅いＭＲでも関連する話題を適切なタイミングで医師Ａ等に示すことができる。
【００７５】
次いで、ＳＴ３０へ進む。ＳＴ３０では、図６の「非類似話題スライド群選択処理部（プログラム）４４」が動作し、図５の「特定話題スライド群記憶部３３」でフラグが付された「話題スライド群」に対応する図３の「端末側話題スライド群情報記憶部１７」の「話題スライド群」、例えば、「ピロリ菌の現状」を特定する。
そして、特定された「ピロリ菌の現状」という「話題スライド群」で「非類似話題スライド群」として登録されている、例えば、「精神科における乳酸菌」を参照する。
さらに、この「精神科における乳酸菌」という「話題スライド群」を、図１９に示すように「非類似話題スライド群欄（アイコン）」に表示する。
【００７６】
したがって、医師Ａとの面談中に話題を大きく変更させる必要があった場合は、タッチパネル１１に示されている「非類似話題スライド群欄（アイコン）」を触れるだけで、適切に話題変更をするすることができる。
特に経験の浅いＭＲにとって、適切に話題変更することは、従来、困難であったが本実施の形態では、容易且つ適切に行うことができる。
【００７７】
例えば、ＭＲが消化器内科関連で医師Ａと「ピロリ菌」の疾病を話題にし、この話題との関係で「類似話題スライド群（例えば、「ピロリ菌と乳酸菌」）」に展開し、「乳酸菌」もピロリ菌に有効との話を行っている最中に、医師Ａが乳酸菌の他の科における疾病に興味があるという話題になったときは、「非類似話題スライド群（例えば、「精神科における乳酸菌」）」に変更し、精神科における乳酸菌の話題とすることができる。
このような話題展開は、従来、ベテランのＭＲでなければできなかったが、本実施の形態では、経験の浅いＭＲでも，容易に可能となる。
【００７８】
次いでＳＴ３１へ進む。ＳＴ３１では、タッチパネル１１の主画面が変更又は終了したか否かが判断され、変更等されていると判断されたときは、ＳＴ３２へ進む。
ＳＴ３２では、図６の「表示スライド及び時間情報等処理部（プログラム）４１」が動作し、「端末側計時装置１６」を参照し、「表示変更（終了）時刻」を求め、「表示スライド及び時間情報等記憶部４２」の「表示開始時刻」情報を参照し、当該スライドの「表示時間」を算出する。この算出された「表示時間」は「「表示スライド及び時間情報等記憶部４２」に記憶される。
【００７９】
さらに、図６の「表示スライド及び時間情報等処理部（プログラム）４１」は、図４の「当該面談対象者属性情報記憶部２４」から「面談対象者情報（例えば、医師Ａ）」を取得し、図４の「端末使用者情報記憶部２１」から「端末使用者情報（識別番号１２３４５６）」を取得する。
そして、これら「スライドの番号（例えば、「Ａ−１」等）」「表示時間」「面談対象者情報（例えば、医師Ａ）」「端末使用者情報（識別番号１２３４５６）」及び「表示回数」を関連付けて「表示スライド及び時間情報等記憶部４２」に記憶する。
【００８０】
したがって、スライド毎の表示時間と当該スライドの表示に関与した面談対象者（例えば、医師Ａ）と端末使用者（ＭＲ、識別番号１２３４５６）の情報を関連付けて記憶することができる。
【００８１】
次いで、ＳＴ３３へ進む。ＳＴ３３では、タッチパネル１１のスライドの変更等がスライドの遷移、すなわち、他のスライドへの変更か否かを判断し、遷移したと判断されたときは、ＳＴ３４へ進む。
ＳＴ３４では、図６の「遷移先スライド情報処理部（プログラム）４５」が動作し、タッチパネル１１の主画面に表示されているスライドの遷移前後のスライド情報を、「スライドの番号（例えば、「Ａ−１」等）」「表示時間」「面談対象者情報（例えば、「医師Ａ」）」「端末使用者情報（例えば、「識別番号１２３４５６」のＭＲ）」及び「表示回数」等と関連つけて、図６の「表示スライド及び時間情報等記憶部４２」に記憶する。
【００８２】
したがって、遷移前後のスライドの変更情報もスライド毎の表示時間と当該スライドの表示に関与した面談対象者（例えば、医師Ａ）と端末使用者（ＭＲ、識別番号１２３４５６）の情報と関連付けて記憶することができる。
このように、遷移前後のスライドの変更情報は、遷移実績情報の一例となっている。
【００８３】
次いでＳＴ３５へ進む。ＳＴ３５では、タブレット端末１０が、図６の「表示スライド及び時間情報等記憶部４２」のデータを管理サーバ８０へ送信する。
次いで、ＳＴ３６へ進む。ＳＴ３６では、図９の「話題スライド群情報変更処理部（プログラム）９４」が動作し、タブレット端末１０から受信した「表示スライド及び時間情報等記憶部」のデータを参照する。
そして、「スライドの番号」毎の「累積表示時間」「累積表示回数」を比較し、累積表示時間や累積表示回数が所定の閾値を超えた場合、「スライド表示順」を変更する。
例えば、図８の「話題スライド群（Ａ）「ピロリ菌の現状」」の「第２のスライド」が「第１のスライド」の２倍の表示回数、２倍の累積表示時間以上のときは、「スライド表示順」を「１→２」から「２→１」に変変更する。
【００８４】
したがって、本実施の形態では、スライド順を統計的に最も適切な順番とすることができ、経験豊富なＭＲ等のスライド順となり、経験が浅いＭＲでも、経験豊富なＭＲと同様にスライドを表示することができる。
このように「スライドの番号」毎の「累積表示時間」「累積表示回数」は、スライド情報の累積表示時間情報及び／又は表示累積回数情報の一例となっている。
【００８５】
また、タブレット端末１０から受信した「表示スライド及び時間情報等記憶部」に記憶される「主画面の遷移前後のスライド情報」に基づいて「類似話題スライド群」や「非類似話題スライド群」を変更する。
例えば、図８の「話題スライド群（Ａ）」である「ピロリ菌の現状」から「ピロリ菌と乳酸菌」への遷移より、他の「類似話題スライド群」への遷移の回数が２倍以上のときは、「類似話題スライド群」を「ピロリ菌と乳酸菌」から他の話題スライド群へ変更する。
【００８６】
したがって、「類似話題スライド群」も上述のスライド順と同様に統計的に最も適切な「類似話題スライド群」とすることができ、経験が浅いＭＲでも、経験豊富なＭＲと同様にスライドを表示することができる。
【００８７】
なお、本実施の形態の「非類似話題スライド群」も上述の「類似話題スライド群」と同様に処理することで、経験が浅いＭＲでも、経験豊富なＭＲと同様にスライドを表示させることができる。
【００８８】
また、このような「スライドの番号」毎の「表示時間」や「遷移前後のスライドの変更情報」等は、面談対象者（例えば、医師Ａ等）や端末使用者（例えば、ＭＲ、識別番号１２３４５６）等の情報と関連付けているため、管理サーバ８０の管理者である製薬会社４は、かかる情報からＭＲの営業活動の実情を詳細に把握でき、今後、営業活動に有効なスライド作成のうえで有効な情報を取得することができる。
例えば、営業成績の良いＭＲのスライドの表示方法を参考にスライドの表示順等を決定する等である。
【００８９】
なお、本発明は上述の実施の形態に限らない。
【符号の説明】
【００９０】
１・・・ＭＲ支援システム、２・・・基地局、３・・・インターネット網、４・・・製薬会社、１０・・・タブレット端末、１１・・・タッチパネル、１３・・・入力ボタン、１４・・・端末制御部、１５・・・端末側通信装置、１６・・・端末側計時装置、１７・・・端末側話題スライド群情報記憶部、２０・・・端末側第１の各種情報記憶部、２１・・・端末使用者情報記憶部、２２・・・面談対象者氏名等記憶部、２３・・・面談対象者属性情報特定処理部（プログラム）、２４・・・当該面談対象者属性情報記憶部、２５・・・テーマ選択画面表示処理部（プログラム）、２６・・・端末側面談対象者属性情報記憶部、３０・・・端末側第２の各種情報記憶部、３１・・・メッセージ選択画面表示処理部（プログラム）、３２・・・話題スライド群特定処理部（プログラム）、３３・・・特定話題スライド群記憶部、３４・・・特定話題スライド群優先表示判断処理部（プログラム）、３５・・・特定話題スライド群優先表示判断処理部（プログラム）、４０・・・端末側第３の各種情報記憶部、４１・・・端末側話題スライド群情報記憶部、４２・・・表示スライド及び時間情報等記憶部、４３・・・類似話題スライド群選択処理部（プログラム）、４４・・・非類似話題スライド群選択処理部（プログラム）、４５・・・遷移先スライド情報処理部（プログラム）、８０・・・管理サーバ、８１・・・サーバ制御部、８２・・・サーバ側通信装置、８３・・・サーバ側ディスプレイ、８４・・・サーバ側入力装置、８５・・・サーバ側計時装置、８６・・・サーバ側話題スライド群情報記憶部、９０・・・サーバ側各種情報記憶部、９１・・・サーバ側面談対象者属性情報記憶部、９２・・・受信更新時刻情報等記憶部、９３・・・差分情報更新処理部（プログラム）、９４・・・話題スライド群情報変更処理部（プログラム）
【図１】
2019145132.tif 000003
【図２】
2019145132.tif 000004
【図３】
2019145132.tif 000005
【図４】
2019145132.tif 000006
【図５】
2019145132.tif 000007
【図６】
2019145132.tif 000008
【図７】
2019145132.tif 000009
【図８】
2019145132.tif 000010
【図９】
2019145132.tif 000011
【図１０】
2019145132.tif 000012
【図１１】
2019145132.tif 000013
【図１２】
2019145132.tif 000014
【図１３】
2019145132.tif 000015
【図１４】
2019145132.tif 000016
【図１５】
2019145132.tif 000017
【図１６】
2019145132.tif 000018
【図１７】
2019145132.tif 000019
【図１８】
2019145132.tif 000020
【図１９】
2019145132.tif 000021